(57)【要約】  【課題】タッチパネルの操作により、ディスプレイに表示されている内容の表示形態を変更する際の操作性を向上する。  【解決手段】ディスプレイの画面中心を基準として、最初に指ｆ１でタッチパネルを押圧した位置の方向に、ディスプレイに表示されている内容（例えば、地図）をスクロールさせる。この状態で、別の指ｆ２によりタッチパネルを押圧すると、スクロール速度を２倍にする。また、二番目に押圧した指ｆ２を上の方向に動かすと地図を広域表示とし、下の方向動かすと地図を詳細表示とする。  【選択図】図４
2005234291.tif 000002
【特許請求の範囲】
【請求項１】
タッチパネルの操作に基づいて、表示手段に表示されている内容の表示形態を変更する表示制御装置において、
前記タッチパネルが押圧された位置を検出する押圧位置検出手段と、
前記押圧位置検出手段により、異なる位置における二以上の押圧が検出されると、検出された押圧数に基づいて、前記表示手段に表示されている内容の表示形態を変更する表示制御手段とを備えることを特徴とする表示制御装置。
【請求項２】
請求項１に記載の表示制御装置において、
前記表示制御手段は、前記押圧位置検出手段により検出された押圧位置に基づいて、前記表示手段に表示されている内容をスクロール表示させるものであって、前記タッチパネルの押圧数に基づいて、前記スクロール表示させる際のスクロール速度を変更することを特徴とする表示制御装置。
【請求項３】
請求項２に記載の表示制御装置において、
前記表示制御手段は、前記タッチパネルの押圧数が多いほど、前記スクロール速度を速くすることを特徴とする表示制御装置。
【請求項４】
請求項２または３に記載の表示制御装置において、
前記表示制御手段は、前記タッチパネルの押圧数が少ないほど、前記スクロール速度を遅くすることを特徴とする表示制御装置。
【請求項５】
請求項２に記載の表示制御装置において、
前記表示制御手段は、前記押圧位置検出手段によって、タッチパネルの二以上の押圧が検出された場合に、２番目に検出された押圧位置に基づいて、前記表示手段に表示している内容の拡大表示および縮小表示のうちの一方の表示制御を行うことを特徴とする表示制御装置。
【請求項６】
請求項５に記載の表示制御装置において、
前記表示制御手段は、前記２番目に検出された押圧位置が第１の領域にある場合には、前記表示手段に表示している内容を縮小表示し、前記２番目に検出された押圧位置が第２の領域にある場合には、前記表示手段に表示している内容を拡大表示することを特徴とする表示制御装置。
【請求項７】
請求項６に記載の表示制御装置において、
前記第１の領域は、前記表示手段の表示画面の上半分であり、前記第２の領域は、前記表示手段の表示画面の下半分であることを特徴とする表示制御装置。
【請求項８】
請求項６に記載の表示制御装置において、
前記第１の領域は、前記表示手段の表示画面の下半分であり、前記第２の領域は、前記表示手段の表示画面の上半分であることを特徴とする表示制御装置。
【請求項９】
請求項６に記載の表示制御装置において、
前記第１の領域は、前記表示手段の表示画面の右半分であり、前記第２の領域は、前記表示手段の表示画面の左半分であることを特徴とする表示制御装置。
【請求項１０】
請求項６に記載の表示制御装置において、
前記第１の領域は、前記表示手段の表示画面の左半分であり、前記第２の領域は、前記表示手段の表示画面の右半分であることを特徴とする表示制御装置。
【請求項１１】
タッチパネルの操作に基づいて、表示手段に表示する地図の表示形態を変更する表示制御装置において、
前記タッチパネルが押圧された位置を検出する押圧位置検出手段と、
前記押圧位置検出手段により検出された第１の押圧位置を基準として上下方向に第２の押圧位置が検出された場合には、前記地図の縮尺を変更し、前記第１の押圧位置を基準として水平方向に前記第２の押圧位置が検出された場合には、前記地図をスクロール表示する際のスクロール速度を変更する表示制御手段とを備えることを特徴とする表示制御装置。
【請求項１２】
請求項１１に記載の表示制御装置において、
前記第１の押圧位置を基準として、水平方向に前記第２の入力操作位置が検出されると、前記表示手段に表示する情報をスクロール表示する際の速度を速くすることを特徴とする表示制御装置。
【請求項１３】
請求項１１または１２に記載の表示制御装置において、
前記第１の押圧位置を基準として、上方向に前記第２の押圧位置が検出されると、前記表示手段に表示している地図を広域表示とし、下方向に前記第２の押圧位置が検出されると、前記表示手段に表示している地図を詳細表示とすることを特徴とする表示制御装置。
【請求項１４】
タッチパネルの操作に基づいて、表示手段に表示されている内容の表示形態を変更する表示制御方法において、
前記タッチパネルの二ヶ所以上の押圧が検出されると、検出された押圧数に基づいて、前記表示手段に表示されている内容の表示形態を変更することを特徴とする表示制御方法。
【請求項１５】
タッチパネルの操作に基づいて、表示手段に表示する地図の表示形態を変更する表示制御方法において、
前記タッチパネルの二ヶ所以上の押圧が検出された場合に、第１の押圧位置を基準として上下方向に第２の押圧位置が検出された場合には、前記地図の縮尺を変更し、前記第１の押圧位置を基準として水平方向に前記第２の押圧位置が検出された場合には、前記地図をスクロール表示する際のスクロール速度を変更することを特徴とする表示制御方法。
【発明の詳細な説明】
【技術分野】
【０００１】
本発明は、タッチパネルの操作により、表示されている情報の表示形態を変更する表示制御装置および表示制御方法に関する。
【背景技術】
【０００２】
従来、ナビゲーション装置の表示画面にタッチパネルを設け、タッチパネルの操作により、地図スクロールを行う方法において、タッチパネルの押圧された位置に基づいて、スクロールスピードを変更する技術が知られている（特許文献１参照）。
【０００３】
【特許文献１】特開２００２−３２３８５０号公報
【発明の開示】
【発明が解決しようとする課題】
【０００４】
しかしながら、従来の技術では、例えば、地図のスクロールスピードを変更するために、タッチパネルの押圧位置を変更しなければならず、操作性が良いとは言えない問題があった。
【課題を解決するための手段】
【０００５】
（１）本発明による表示制御装置および表示制御方法は、タッチパネルの操作に基づいて、表示手段に表示されている内容の表示形態を変更するものであって、タッチパネルの二ヶ所以上の押圧が検出されると、検出された押圧数に基づいて、表示手段に表示されている内容の表示形態を変更することを特徴とする。
（２）本発明による表示制御装置および表示制御方法は、タッチパネルの操作に基づいて、表示手段に表示する地図の表示形態を変更するものであって、タッチパネルの二ヶ所以上の押圧が検出された場合に、第１の押圧位置を基準として上下方向に第２の押圧位置が検出されると地図の縮尺を変更し、水平方向に第２の押圧位置が検出されると、地図をスクロール表示する際のスクロール速度を変更することを特徴とする。
【発明の効果】
【０００６】
（１）本発明による表示制御装置および表示制御方法によれば、指の押圧数に基づいて、表示内容の表示形態を変更することができるので、操作性を向上させることができる。
（２）本発明による表示制御装置および表示制御方法によれば、タッチパネルを二ヶ所以上押圧した際に、二番目の押圧位置に基づいて、表示手段に表示されている地図の縮尺を変更したり、地図をスクロール表示する際のスクロール速度を変更することができるので、簡易な操作により、利用者の望む形式の地図表示を行うことができる。
【発明を実施するための最良の形態】
【０００７】
図１は、本発明による表示制御装置をカーナビゲーション装置に適用した一実施の形態におけるブロック構成図である。ディスプレイ４は、例えば、液晶ディスプレイであり、コントローラ１からの指令に基づいて、地図画面を表示する。タッチパネル５は、ディスプレイ４の前面に取り付けられている。利用者がタッチパネル５を指で押圧（タッチ）すると、押圧された位置に応じた信号をコントローラ１に出力する。タッチパネル５を押圧された位置は、例えば、タッチパネル５の中心位置を原点とするＸ−Ｙ座標系を設定して、押圧された位置の座標を検出する。
【０００８】
ＧＰＳアンテナ２は、図示しないＧＰＳ衛星から発信される電波を受信する。コントローラ１は、ＧＰＳアンテナ２で受信された電波に基づいて、車両の現在位置を検出する。ＤＶＤ−ＲＯＭ３には、地図データが格納されている。コントローラ１は、ＤＶＤ−ＲＯＭ３から読み出した地図データに基づいて、ディスプレイ４に地図画面を表示させるとともに、検出した車両の現在位置を地図画面上に重畳して表示させる。また、コントローラ１は、タッチパネル５、および、図示しない複数のスイッチを備えるスイッチパネル６から入力される信号に基づいて、ディスプレイ４およびオーディオユニット７を制御する。なお、タッチパネル５，スイッチパネル６およびオーディオユニット７と、コントローラ１との間は、通信線（例えば、ＣＡＮ通信を行うための通信線）により接続されている。
【０００９】
以下では、図２〜図８を用いて、タッチパネル５の操作に基づいて、ディスプレイ４に表示される地図画面の表示形態を変更する方法について説明する。図２は、ディスプレイ４に表示される地図画面の一例を示す図である。また、図３は、ディスプレイ４に地図画面が表示されている状態で、利用者がタッチパネルを１本の指ｆ１で押圧した状態を示す図である。指ｆ１は、例えば、左手の人差し指である。
【００１０】
図３に示すように、利用者がタッチパネル５を押圧すると、地図画面の中心位置を基準として、指ｆ１で押圧した方向に地図画面をスクロールさせる。なお、地図画面のスクロール中には、図３に示すように、画面の横のラインＬ１および縦のラインＬ２を表示させる。
【００１１】
図４（ａ）〜図４（ｃ）は、タッチパネル５の押圧により、地図画面がスクロール表示される様子を示す図である。上述したように、地図画面の中心位置を基準として、指ｆ１で押圧した方向に地図画面がスクロールするので、車両の現在位置を示すマークＭ１は、指ｆ１で押圧された位置と反対の方向に移動する。
【００１２】
図５は、１本の指ｆ１でタッチパネル５を押圧して、地図画面をスクロールさせている状態から、さらに別の指ｆ２でタッチパネル５を押圧した状態を示す図である。指ｆ２は、例えば、左手の中指である。この場合、コントローラ１は、１本の指ｆ１でタッチパネル５を押圧した場合のスクロール速度の２倍の速度でスクロールを行う。なお、地図をスクロールさせる方向は、地図画面の中心位置を基準として、最初に押圧した指ｆ１の方向である。
【００１３】
図６は、２本の指ｆ１，ｆ２でタッチパネル５を押圧して、地図画面をスクロールさせている状態から、さらに別の指ｆ３でタッチパネル５を押圧した状態を示す図である。指ｆ３は、例えば、左手の薬指である。この場合、コントローラ１は、１本の指ｆ１でタッチパネル５を押圧した場合のスクロール速度の３倍の速度でスクロールさせる。地図をスクロールさせる方向は、２本の指で押圧した場合と同様に、地図画面の中心位置を基準として、最初に押圧した指ｆ１の方向である。
【００１４】
すなわち、コントローラ１は、タッチパネル５の押圧位置に応じて、ディスプレイ４に表示している地図をスクロールさせるとともに、タッチパネル５の押圧数に応じて、スクロール速度を変更する。
【００１５】
図７は、地図のスクロール操作中に、ディスプレイ４に表示されている地図の縮尺を変更するための操作方法を説明するための図である。図５に示すように、２本の指ｆ１，ｆ２でタッチパネル５を押圧している状態から、２番目に押圧した指ｆ２を上下方向に移動させると、地図の縮尺を変更することができる。ここでは、指ｆ２を画面の上方向に移動させると、現在表示されている地図を広域表示（縮小表示）の地図に切り換え、下方向に移動させると、現在表示されている地図を詳細な地図（拡大表示）に切り換えて表示する。なお、広域地図および詳細地図を表示する場合の縮小率および拡大率はそれぞれ予め定められており、指ｆ２による上方向または下方向の１回の操作により、１段階だけ拡大または縮小する。
【００１６】
図８および図９は、地図画面のスクロール操作を行っていない時に、地図の縮尺を変更する方法を説明するための図である。図８に示すように、地図が表示されている画面の左下に表示されている縮尺切り換え用のアイコン１０を指ｆ１で押圧すると、図９に示す画面が表示される。すなわち、縮尺切り換え用のアイコン１０を押圧することにより、「広域」ボタン１１、「詳細」ボタン１２、および、縮尺レベル１３が表示される。
【００１７】
縮尺レベル１３は、表示されている地図画面の現在の縮尺度合いを示している。利用者が「広域」ボタン１１を１回押圧すると、１段階だけ広域表示とした地図に切り替わり、「詳細」ボタン１２を１回押圧すると、１段階だけ詳細表示とした地図に切り替わる。
【００１８】
図１０は、一実施の形態における表示制御装置により行われる表示制御の内容を示すフローチャートである。ステップＳ１０から始まる処理は、コントローラ１により行われる。ステップＳ１０では、ディスプレイ４に地図画面が表示されているか否かを判定する。地図画面は、例えば、利用者がスイッチパネル６の操作を行うことにより、ディスプレイ４に表示させることができる。ディスプレイ４に地図画面が表示されていると判定するとステップＳ２０に進み、地図画面が表示されていないと判定すると、ステップＳ１０で待機する。
【００１９】
ステップＳ２０では、タッチパネル５を押圧する所定値以上の圧力が検出されたか否かを判定する。タッチパネル５が所定値以上の圧力で押圧されると、その位置座標データと共に、所定値以上の圧力が検出された旨の信号がコントローラ１に出力される。従って、コントローラ１は、所定値以上の圧力で押圧された旨の信号を受信したか否かに基づいて、ステップＳ２０の判定を行う。所定値以上の圧力が検出されたと判定するとステップＳ３０に進み、所定値以上の圧力は検出されていないと判定するとステップＳ１０に戻る。
【００２０】
ステップＳ３０では、地図画面の中心位置を基準として、押圧された位置の方向に地図画面をスクロールさせる（図４（ａ）〜（ｃ）参照）。ステップＳ３０に続くステップＳ４０では、タッチパネル５から入力される信号に基づいて、タッチパネル５を押圧する所定値以上の圧力が検出されなくなったか否かを判定する。タッチパネル５上のいずれの領域においても、所定値以上の圧力が検出されなくなったと判定するとステップＳ５０に進み、所定値以上の圧力が検出されている場合には、ステップＳ６０に進む。
【００２１】
ステップＳ５０では、地図画面のスクロール処理を停止して、ステップＳ１０に戻る。一方、ステップＳ６０では、タッチパネル５から入力される信号に基づいて、ステップＳ２０でタッチパネル５の押圧が検出された領域と異なる領域において、所定値以上の圧力が検出されたか否かを判定する。最初に押圧が検出された領域と異なる領域において、所定値以上の圧力が検出されたと判定するとステップＳ７０に進み、異なる領域において、所定値以上の圧力は検出されていないと判定すると、ステップＳ３０に戻る。
【００２２】
ステップＳ７０では、タッチパネル５の新たな押圧が検出された位置が画面中心を基準として、水平方向であるか否かを判定する。新たな押圧が検出された位置が水平方向であると判定するとステップＳ８０に進み、水平方向ではなく上下方向であると判定するとステップＳ１１０に進む。
【００２３】
ステップＳ８０では、地図画面をスクロールさせる速度を１段階速くする。例えば、１本の指でタッチパネル５を押圧している状態から、タッチパネル５の新たな押圧が検出された場合には、２倍のスクロール速度に変更し、２本の指でタッチパネル５を押圧している状態から、新たな押圧が検出された場合には、初期速度に対して３倍のスクロール速度に変更する。スクロール速度を１段階速くすると、ステップＳ９０に進む。
【００２４】
ステップＳ９０では、タッチパネル５から入力される信号に基づいて、タッチパネル５を押圧していた際の圧力数（押圧数）が減少したか否かを判定する。利用者が２本の指でタッチパネル５を押圧していた状態から、１本の指を離した場合のように、タッチパネル５を押圧していた際の圧力数が減少したと判定するとステップＳ１００に進み、減少していないと判定するとステップＳ６０に戻る。
【００２５】
ステップＳ１００では、地図画面をスクロールさせる速度を１段階遅くする。例えば、スクロール速度が２倍速になっている場合には、初期速度に戻し、３倍速になっている場合には、２倍速にする。地図画面のスクロール速度を１段階遅くすると、ステップＳ３０に戻る。
【００２６】
ステップＳ１１０では、ステップＳ６０において検出された最初と異なる押圧位置が、画面中心を基準として上方向であるか否かを判定する。最初と異なる押圧位置が画面中心を基準として上方向であると判定するとステップＳ１２０に進み、下方向であると判定するとステップＳ１３０に進む。
【００２７】
ステップＳ１２０では、ディスプレイ４に表示されている地図を１段階だけ広域表示（縮小表示）にして、ステップＳ１４０に進む。一方、ステップＳ１３０では、ディスプレイ４に表示されている地図を１段階だけ詳細表示（拡大表示）にして、ステップＳ１４０に進む。
【００２８】
ステップＳ１４０では、タッチパネル５から入力される信号に基づいて、タッチパネル５を押圧していた際の圧力数が減少したか否かを判定する。タッチパネル５を押圧していた際の圧力数が減少したと判定するとステップＳ３０に戻り、減少していないと判定するとステップＳ１５０に進む。ステップＳ１５０では、ステップＳ６０において、最初にタッチパネルの押圧が検出された領域と異なる領域における押圧が検出されてから、所定の時間が経過したか否かを判定する。所定時間が経過したと判定するとステップＳ１１０に戻り、所定時間が経過していないと判定すると、ステップＳ１４０に戻る。
【００２９】
一実施の形態における表示制御装置によれば、タッチパネル５の押圧数に基づいて、ディスプレイ４に表示する地図情報の表示形態を変更するので、簡易な操作により表示形態を変更させることができる。特に、タッチパネルの押圧数が多いほど、ディスプレイ４に表示する地図情報をスクロール表示する際のスクロール速度を速くするので、例えば、片手の人差し指および中指を用いて、簡単にスクロール速度を変更することができる。
【００３０】
また、タッチパネル５のいずれかの領域が押圧されている状態で、新たな押圧が検出された場合に、新たに押圧された箇所の表示画面上の領域に応じて、ディスプレイ４に表示する地図情報を縮小表示または拡大表示するので、簡易な操作により、地図情報の縮尺を変更することができる。
【００３１】
本発明は、上述した一実施の形態に限定されることはない。例えば、上述した説明では、地図を表示するナビゲーション装置に表示制御装置を適用した例について説明したが、ナビゲーション装置以外の他の装置に適用することもできる。例えば、新聞記事などの文字を表示するとともに、スクロール操作や縮尺変更が可能なタッチパネルや、ペン入力可能なタブレットＰＣに本発明を適用することもできる。
【００３２】
上述した一実施の形態では、２番目にタッチパネル５を押圧した位置を上方向に移動させると地図を広域表示（縮小表示）とし、下方向に移動させると詳細表示（拡大表示）としたが、上方向に移動させると詳細表示とし、下方向に移動させると広域表示とするようにしてもよい。また、２番目にタッチパネル５を押圧した位置がディスプレイ４の上半分の領域の場合に広域表示（縮小表示）とし、下半分の領域の場合に詳細表示（拡大表示）としてもよいし、上半分の領域の場合に詳細表示とし、下半分の領域の場合に広域表示としてもよい。同様に、２番目にタッチパネル５を押圧した位置がディスプレイ４の右半分の領域の場合に広域表示（縮小表示）とし、左半分の領域の場合に詳細表示（拡大表示）としてもよいし、右半分の領域の場合に詳細表示とし、左半分の領域の場合に広域表示としてもよい。
【００３３】
ディスプレイ４に表示される地図のスクロール操作では、画面中心を基準として、タッチパネル５を押圧した位置の方向にスクロールさせるようにしたが、指を押圧した位置を基準として、押圧した位置から指をずらした方向にスクロールさせるようにしてもよい。
【００３４】
特許請求の範囲の構成要素と一実施の形態の構成要素との対応関係は次の通りである。すなわち、タッチパネル５が押圧位置検出手段を、コントローラ１が表示制御手段をそれぞれ構成する。なお、本発明の特徴的な機能を損なわない限り、各構成要素は上記構成に限定されるものではない。
【図面の簡単な説明】
【００３５】
【図１】本発明による表示装置の一実施の形態におけるブロック構成図
【図２】ディスプレイに表示される地図画面の一例を示す図
【図３】ディスプレイに地図画面が表示されている状態で、利用者がタッチパネルを１本の指で押圧した状態を示す図
【図４】図４（ａ）〜図４（ｃ）は、地図のスクロール表示の様子を示す図
【図５】１本の指でタッチパネルを押圧している状態から、さらに別の指でタッチパネルを押圧した状態を示す図
【図６】２本の指でタッチパネルを押圧している状態から、さらに別の指でタッチパネルを押圧した状態を示す図
【図７】ディスプレイに表示されている地図の縮尺を変更するための操作方法を説明するための図
【図８】ディスプレイの左下に表示されている縮尺切り換え用のアイコンを指で押圧した状態を示す図
【図９】地図の縮尺を変更するためのボタンを表示した様子を示す図
【図１０】一実施の形態における表示装置により行われる表示制御の内容を示すフローチャート
【符号の説明】
【００３６】
１…コントローラ
２…ＧＰＳアンテナ
３…ＤＶＤ−ＲＯＭ
４…ディスプレイ
５…タッチパネル
６…スイッチパネル
７…オーディオユニット
【図１】
2005234291.tif 000003
【図２】
2005234291.tif 000004
【図３】
2005234291.tif 000005
【図４】
2005234291.tif 000006
【図５】
2005234291.tif 000007
【図６】
2005234291.tif 000008
【図７】
2005234291.tif 000009
【図８】
2005234291.tif 000010
【図９】
2005234291.tif 000011
【図１０】
2005234291.tif 000012